(57)【特許請求の範囲】
【請求項１】
底部が溶着シール（１１）によって閉鎖され両側部にガゼット（１４），（１４）が折り込まれた多数枚のゴミ袋（１ａ）が切取線（１０）を介して一連に連結された連続ゴミ袋（ａ）をロール芯を中心にして巻き取ってロール状ゴミ袋（Ａ）に構成すると共に、ロール状のゴミ袋は一方の側の端面の芯側部分をロール芯方向に押すと反対側の端面が竹の子状に押し出されてゴミ袋（１ａ）の側端縁部（１２）の外面が露出すべく構成し、
しかも、前記連続ゴミ袋（ａ）を構成する各ゴミ袋（１ａ）のそれぞれに、残り枚数の確認用目印（２）がロール状に巻き取った状態での片方の側端縁部（１２）の巻き取り外面の１ヶ所に表示されていることを特徴とするロール状ゴミ袋。
【発明の詳細な説明】
【技術分野】
【０００１】
本発明は、プラスチックフイルムにより形成された多数枚のゴミ袋を一連に連結させた連続ゴミ袋をロール状に巻き取ったロール状ゴミ袋に関し、特に、ロール状に巻き取ったままの状態でゴミ袋の残り枚数が目視で判るようにした技術に関する。
【背景技術】
【０００２】
ゴミ袋等の包装形態について、多数枚ゴミ袋を一連に連結させた連続ゴミ袋をロール状に巻き取ったロール状ゴミ袋が知られている。
このロール状ゴミ袋は、外端末のゴミ袋から順に繰り出しながら１枚づつ使用していくことになる。
このようにしてゴミ袋を使用していくと、当然にゴミ袋の残り枚数が減少していくが、このとき残り枚数を確認するには、ロール状フイルム袋を全て繰り出して数える必要があり、このような手間をかけてまで残り枚数を確認するといったことはしないのが実情である。
【０００３】
ゴミ袋は日常品であるため、これを常時準備しておくのが望ましく、そのためには、その残り枚数を簡単に確認できようにしておくことが求められる。
【０００４】
従来、ロール状ゴミ袋において、ロール状に巻き取ったままの状態で残り枚数を確認するために、各ゴミ袋に連続した数字を順に表示させたものが知られている（特許文献１参照）。
このように、各ゴミ袋に連続した数字を順に表示させると、数字を見るだけで簡単に残り枚数を確認することができるが、連続した数字を印刷させる必要があるため、印刷装置が複雑になるし、印刷作業の段取りや確認等が面倒になるという問題があった。
【先行技術文献】
【特許文献】
【０００５】
【特許文献１】特開２００４−１７５３９９号公報
【発明の概要】
【発明が解決しようとする課題】
【０００６】
本発明は、かかる従来の問題を解決するためになされたもので、多数のゴミ袋をロール状に巻き取ったロール状ゴミ袋について、各ゴミ袋に残り枚数の確認用目印を表示させることにより目視だけで簡単に残り枚数を確認することができ、かつ確認用目印を印刷させるための印刷装置を簡単にさせると共に、印刷作業が簡単にできるようにしたロール状ゴミ袋を提供することを課題としている。
【課題を解決するための手段】
【０００７】
上記の課題を解決するために、本発明のロール状ゴミ袋（請求項１）は、底部が溶着シール（１１）によって閉鎖され両側部にガゼット（１４），（１４）が折り込まれた多数枚のゴミ袋（１ａ）が切取線（１０）を介して一連に連結された連続ゴミ袋（ａ）をロール芯を中心にして巻き取ってロール状ゴミ袋（Ａ）に構成すると共に、ロール状ゴミ袋は一方の側の端面の芯側部分をロール間方向に押すと反対側の端面が竹の子状に押し出されてゴミ袋（１ａ）の側端縁部（１２）の外面が露出すべく構成し、しかも、前記連続ゴミ袋（ａ）を構成する各ゴミ袋（１ａ）のそれぞれに、残り枚数の確認用目印（２）がロール状に巻き取った状態での片方の側端縁部（１２）の巻き取り外面の１ヶ所に表示されていることを特徴とする。
【発明の効果】
【０００８】
本発明のロール状ゴミ袋にあっては、両側端にガゼットが折り込まれてロール状に巻き取った状態での各ゴミ袋の側端縁部の外面の１ヶ所にそれぞれ確認用目印を表示させたので、この確認用目印を目で見て数えるだけで簡単にゴミ袋の残り枚数を確認することができる。
これにより、日常品であるゴミ袋を切らすことなく、常時準備しておくことの注意を促すことができる。
【０００９】
特に、本発明のロール状ゴミ袋は、両側端にガゼットが折り込まれてロール芯を中心にして巻き取ってロール状ゴミ袋に構成すると共に、一方の側の端面の芯側部分をロール芯方向に押すと反対側の端面が竹の子状に押し出されてゴミ袋の側端縁部の外面が露出し、確認用目印をロール状に巻き取った状態での側端縁部の外面に表示させたことに特徴がある。
即ち、ロール状ゴミ袋は、多数のゴミ袋をロール状に巻き取ったものであるため、その一方の側端面の芯側部分をロール軸方向に押すと、反対側の側端面が竹の子状に押し出され、ゴミ袋の側端縁部の外面を簡単に露出させることができる。
本発明は、このようなロール状ゴミ袋の特性、すなわち、ロール状に巻き取った芯側部分をロール芯方向に押すことで反対側の端面が竹の子状に押し出されて確認用目印の表示部分が巻き取り外面にすべて表れるという特性に着目して、確認用目印をロール状に巻き取ったままで竹の子状の押し出し周面に表示させたもので、これにより、ロール状態を維持させたままで、確認用目印を目視により容易に確認することができる。しかも、従来の別途数字を各ゴミ袋に順番に印刷する技術を用いることなく、単に確認用目印を単一で表示させるだけで、竹の子状の表面に現れた目印の数を計算して残りのゴミ袋の枚数を確認できることになり、簡便にして容易な残存袋目視確認の技術を提供できる効果がある。
【００１０】
また、確認用目印を同一デザインにしたので、確認用目印を印刷させるための印刷装置を簡単にできるし、印刷作業の段取りや確認等も簡単にすることができる。
【図面の簡単な説明】
【００１１】
【図１】請求項１に対応したロール状ゴミ袋の第１実施例を示す斜視図。
【図２】ロール状ゴミ袋から切り離したゴミ袋の展開斜視図。
【図３】ロール状ゴミ袋の他の実施例を示す斜視図。
【図４】他の実施例のロール状ゴミ袋から切り離したゴミ袋の展開斜視図。
【発明を実施するための形態】
【００１２】
図１で示す第１実施例のロール状ゴミ袋Ａは、本発明の請求項１に対応したもので、多数枚（例えば、１０枚や２０枚）のゴミ袋１ａがミシン目状の切取線１０を介して一連に連結された連続ゴミ袋ａをロール状に巻き取ったものである。
【００１３】
前記連続ゴミ袋ａは、ポリエチレン樹脂やポリプロピレン樹脂等の透明な長尺筒状プラスチックフイルムに一定間隔毎に溶着シール１１を形成し、この溶着シール１１に近接してミシン目状の切取線１０を形成させたものである。
【００１４】
この場合、ロール状ゴミ袋Ａのロール軸方向（矢印Ｎ方向）の長さを短くしてコンパクトにさせるために、連続ゴミ袋ａの両側を内側に折り畳んで全体を３つ折りにさせたもので、その折り畳みに際しての折線１２ａ，１２ａがロール状に巻き取った状態での側端縁部１２，１２となる。
【００１５】
また、図示省略したが、各ゴミ袋１ａの巻き取り状態での外面には、グラビア印刷によってゴミ袋であることの表示、使用する自治体名、製造者、使用上の注意書等が表示されている。
【００１６】
そして、前記連続ゴミ袋ａを構成する各ゴミ袋１ａのそれぞれに、残り枚数の確認用目印２を表示させている。
この確認用目印２は、各ゴミ袋１ａに同一デザインで表示され、かつロール状に巻き取った状態での片方の側端縁部１２の巻き取り外面の１ヶ所に表示されている。
この場合、片方の側端縁部１２となる一方の折線１２ａ上に跨るような横長方形領域（実施例では縦１２ｍｍ、横４０ｍｍの長方形）内に多数の文字列を描いたものとなっている。
【００１７】
前記ロール状ゴミ袋Ａを使用するには、外端末のゴミ袋１ａから順に繰り出しながら１枚づつ使用していくもので、この際、前記切取線１０から切断することにより、図２に示すように上端に開口部１３が形成されると共に、溶着シール１１によって底端が閉鎖したゴミ袋１ａを得ることができる。
【００１８】
そして、ロール状ゴミ袋Ａからゴミ袋１ａを切り離していくと、ゴミ袋１ａの残り枚数が減少していくが、このとき残り枚数を確認することができるように、ロール状ゴミ袋Ａは、確認用目印２が表示されていない側の一方の側の端面の芯側部分をロール軸方向に押すと（矢印Ｐ）、反対側の側端面が竹の子状に押し出されてゴミ袋１ａの側端縁部１２の外面が略円錐形状に突出し、露出するように構成されている。
この側端縁部１２の略円錐状外面が竹の子状に露出するに伴い確認用目印２も露出するもので、これにより、ロール状態を維持させたままで、確認用目印２を目視により容易に確認することができ、この確認用目印２を数えるだけで簡単にゴミ袋の残り枚数を確認することができる。すなわち、残りのゴミ袋に表示した確認用目印２のすべてが竹の子状の略円錐状外面に露出し、それを数えることにより、ゴミ袋の残り枚数を知ることができる。
【００１９】
次に、図３で示すロール状ゴミ袋Ｂは、前記実施例のロール状ゴミ袋Ａが片方（一方）の側端縁部１２の外面に確認用目印が表示されているのに対し、このロール状ゴミ袋Ａは両方の側端縁部１２，１２の外面に確認用目印２，２が表示されている点で異なっている。
【００２０】
このロール状ゴミ袋Ｂは、多数枚（例えば、１０枚や２０枚）のゴミ袋１ｂがミシン目状の切取線１０を介して一連に連結された連続ゴミ袋ｂをロール状に巻き取ったもので、前記連続ゴミ袋ａは、長尺筒状プラスチックフイルムに一定間隔毎に溶着シール１１を形成し、この溶着シール１１に近接してミシン目状の切取線１０を形成させたものである。
【００２１】
ゴミ袋１ｂは、図４に示すように、両側部にガゼット１４，１４が折り込まれ、開口部１３の両側に取っ手１５，１５が形成されると共にこの両取っ手１５，１５の間に谷部１６，１６を介してフラップ１７が形成され、かつ前記谷部１６，１６に対応した形状の延長片１８，１８がゴミ袋１bの底部に形成されている。
なお、ミシン目状の切取線１０は、切り離しを容易にさせるために波状に形成されている。
【００２２】
また、このロール状ゴミ袋Ｂは、連続ゴミ袋ｂの両側を内側に折り畳んで両側部分をそれぞれ２つ折りにさせたもので、その折り畳みに際しての折線１２ａ，１２ａがロール状に巻き取った状態での側端縁部１２，１２となるのは実施例と同様である。
【００２３】
このゴミ袋１ｂを使用する場合、開口部１３の両側に形成した両取っ手１５，１５に手を通して把持することで持ち運びが容易になるし、又、両取っ手１５，１５同士を結ぶことで開口部１３を閉じることができる。
また、前記延長片１８，１８はゴミ袋１ｂの底側の把持片として使用することができる。
【００２４】
そして前記したように、このロール状ゴミ袋Ｂは、両方の側端縁部１２，１２の外面に確認用目印２，２が表示されており、この確認用目印２，２は、各ゴミ袋１ｂに同一デザインで表示され、かつロール状に巻き取った状態での両方の側端縁部１２，１２の外面に１ヶ所づつ表示されている。
この場合、側端縁部１２，１２となる折線１２ａ，１２ａ上に跨るように表示させるのは実施例と同様である。
【００２５】
この実施例のように、確認用目印２，２を両方の側端縁部１２，１２の外面にそれぞれ表示させると、両側端面のうちの何れの側を竹の子状に押し出してもよく、竹の子状に押し出す方向が制限されないので使用が簡単になる。
【００２６】
本発明のロール状ゴミ袋において、確認用目印の大きさや形状に限定はなく、また、目印の領域内をベタ塗りしてもよいし、直線や曲線等でストライプ模様を描くなど任意である。
色彩についても、ゴミ袋に施したグラビア印刷と同一の色（例えば、黒色）を用いてもよいし、別の色（例えば、赤色）を用いてもよい。
【００２７】
また、確認用目印２は、少なくとも側端縁部１２の外面に表示されていれば良いが、実施例のように、折線１２ａ上に跨るように表示させると、確認用目印２を側端縁部１２の外面から内面に跨って表示させることができる。これにより、確認用目印２の位置が側端縁部１２からズレ離れるのを防止して確実に側端縁部１２の外面に表示させることができる。
【符号の説明】
【００２８】
１ａ ゴミ袋
１ｂ ゴミ袋
１０ 切取線
１１ 溶着シール
１２ 側端縁部
１２ａ 折線
１３ 開口部
１４ ガゼット
１５ 取っ手
１６ 谷部
１７ フラップ
１８ 延長片
２ 確認用目印
Ａ ロール状ゴミ袋
ａ 連続ゴミ袋
Ｂ ロール状ゴミ袋
ｂ 連続ゴミ袋
【図１】
0005453028.tif 000002
【図２】
0005453028.tif 000003
【図３】
0005453028.tif 000004
【図４】
0005453028.tif 000005